(57)【特許請求の範囲】
【請求項１】
アンテナコイルとＩＣチップを含むインレットを内部に収納した扁平ＩＣタグにおいて、硬質素材から形成された硬質基板の上面に柔軟素材から形成された柔軟基板の下面を接合させた扁平ＩＣタグから構成され、前記硬質基板の下面を硬質面とし、前記柔軟基板の上面を柔軟面とし、前記硬質基板の前記上面に中央に凹所を有する環状周壁部を形成し、前記凹所の底面に前記柔軟基板の前記下面を接合させ、前記柔軟基板の前記上面が前記環状周壁部の頂面より突出していることを特徴とする片面柔軟性扁平ＩＣタグ。
【請求項２】
前記環状周壁部の外周面に前記頂面に向かって先細り状の硬質テーパ面が形成されている請求項１に記載の片面柔軟性扁平ＩＣタグ。
【請求項３】
前記柔軟基板の外周面に前記柔軟面に向かって先細り状の柔軟テーパ面が形成されている請求項１に記載の片面柔軟性扁平ＩＣタグ。
【請求項４】
前記インレットが前記柔軟基板の内部に収納されている請求項１〜３のいずれかに記載の片面柔軟性扁平ＩＣタグ。
【請求項５】
前記インレットが前記硬質基板の内部に収納されている請求項１〜３のいずれかに記載の片面柔軟性扁平ＩＣタグ。
【請求項６】
前記インレットが前記硬質基板の上面と前記柔軟基板の下面に挟着されている請求項１〜３のいずれかに記載の片面柔軟性扁平ＩＣタグ。
【請求項７】
前記インレットが前記硬質基板の上面に形成された浅状凹所に収納され、前記浅状凹所を前記柔軟基板により封着した請求項６に記載の片面柔軟性扁平ＩＣタグ。
【請求項８】
請求項１〜７のいずれかに記載の片面柔軟性扁平ＩＣタグを用い、物品の表面に前記片面柔軟性扁平ＩＣタグの硬質面を接着させたことを特徴とするＩＣタグ付設物品。
【発明の詳細な説明】
【技術分野】
【０００１】
本発明は、例えば、足拭きマットや清掃用モップ等の清掃用具、搬送用容器、搬送パレット、梱包容器等の様々な物品、用品、器具類等に取り付けられてデータキャリアとして使用される、片面に柔軟性を持たせた片面柔軟性扁平ＩＣタグ及びそのＩＣタグを付設したＩＣタグ付設物品に関するものである。
【背景技術】
【０００２】
近年、非接触式ＩＣタグ（あるいはＲＦＩＤタグと称される）は、半導体技術の進展により、その種類、性能の多様化と共に、小型化および製造コストの低減が進められ、一般用品、食品、配送等の多くの分野において、物流の効率化及び電子管理化の一環として利用されている。例えば、一般用品の一つであるレンタル用マット等の清掃用具には、品質管理や在庫管理における商品管理を行うためにランドリー用ＩＣタグが使用されている。
【０００３】
非接触式ＩＣタグは、アンテナコイルとＩＣチップを含むインレットを樹脂等で封止したパッケージ構造を有する。かかるインレットは、例えば、特許文献１に示されるように、ＰＥＴ（ポリエチレンテレフタレート）フィルムにアンテナコイルをパターン形成し、そのアンテナコイルにＩＣチップを実装して形成される。封止の一形態としては、例えば、特許文献２に示されるように、ＡＢＳ樹脂やポリプロピレン樹脂等の熱可塑性樹脂を使用した硬質のハードパッケージ構造がある。別の封止形態としては、例えば、特許文献３に示されるように、インレットをウレタン樹脂材で挟持した柔軟性ソフトパッケージ構造があり、ラベル用等に使用される。
【特許文献１】特開２００１−１５６１１０号公報
【特許文献２】特開２０００−２９３６５１号公報
【特許文献３】特開２００５−７１０６３号公報
【発明の開示】
【発明が解決しようとする課題】
【０００４】
従来のＩＣタグのパッケージ構造には上記のように、ハードパッケージとソフトパッケージがあるが、搬送用容器、搬送パレット、梱包容器等の物品に付着させて使用する場合に不具合を生じていた。通常、ＩＣタグの取り付けは接着により行われるが、ハードパッケージ構造のＩＣタグの場合には、使用中にハードパッケージが他の商品に当たって傷つけたり、あるいは衝撃を緩和できないため他の荷物の衝突によりタグが剥がれ落ちるおそれがあった。ソフトパッケージ構造のＩＣタグの場合には、使用中に他の商品に当たって傷つけたりはせず、あるいは衝撃を緩和できるが、素材の柔軟性により反りや剥離現象が起こり、物品との接着性が低下するため使用中に剥がれ落ちるおそれがあった。
【０００５】
本発明は、上記課題に鑑みてなされたものであって、物品との良好な接合性を有し、且つ外部からの衝撃を緩和して脱落しにくい、付設耐久性に富んだ片面柔軟性扁平ＩＣタグを提供することを目的とする。また、本発明は、安定した物流管理等に好適な片面柔軟性扁平ＩＣタグを付設した、搬送用容器、搬送パレット、梱包容器等の物品を提供することを目的とする。
【課題を解決するための手段】
【０００６】
本発明は、タグ封止構造を、物品と接着等により接合する裏側接合面側を反りや剥離現象の起きない、良好な接合性を有するハードパッケージ構造と、表面側を外部からの衝撃を緩和し、また外部の物品を傷つけることのないソフトパッケージ構造とした多重パッケージ構造とすることにより上記課題を解決できる点に着目してなされたものであり、本発明の第１の形態は、アンテナコイルとＩＣチップを含むインレットを内部に収納した扁平ＩＣタグにおいて、硬質素材から形成された硬質基板の上面に柔軟素材から形成された柔軟基板の下面を接合させた扁平ＩＣタグから構成され、前記硬質基板の下面を硬質面とし、前記柔軟基板の上面を柔軟面とする片面柔軟性扁平ＩＣタグである。
【０００７】
本発明の第２の形態は、前記第１の形態において、前記硬質基板の前記上面に中央に凹所を有する環状周壁部を形成し、前記凹所の底面に前記柔軟基板の前記下面を接合させ、前記柔軟基板の前記上面が前記環状周壁部の頂面と面一又は前記頂面より突出している片面柔軟性扁平ＩＣタグである。
【０００８】
本発明の第３の形態は、前記第２の形態において、前記環状周壁部の外周面に前記頂面に向かって先細り状の硬質テーパ面が形成されている片面柔軟性扁平ＩＣタグである。
【０００９】
本発明の第４の形態は、前記第１の形態において、前記柔軟基板の外周面に前記柔軟面に向かって先細り状の柔軟テーパ面が形成されている片面柔軟性扁平ＩＣタグである。
【００１０】
本発明の第５の形態は、前記第１〜第４のいずれかの形態において、前記インレットが前記柔軟基板の内部に収納されている片面柔軟性扁平ＩＣタグである。
【００１１】
本発明の第６の形態は、前記第１〜第４のいずれかの形態において、前記インレットが前記硬質基板の内部に収納されている片面柔軟性扁平ＩＣタグである。
【００１２】
本発明の第７の形態は、前記第１〜第４のいずれかの形態において、前記インレットが前記硬質基板の上面と前記柔軟基板の下面に挟着されている片面柔軟性扁平ＩＣタグである。
【００１３】
本発明の第８の形態は、前記第７の形態において、前記インレットが前記硬質基板の上面に形成された浅状凹所に収納され、前記浅状凹所を前記柔軟基板により封着した片面柔軟性扁平ＩＣタグである。
【００１４】
本発明の第８の形態は、前記第１〜第８のいずれかの形態に係る片面柔軟性扁平ＩＣタグを用い、物品の表面に前記片面柔軟性扁平ＩＣタグの硬質面を接着させたＩＣタグ付設物品である。
【発明の効果】
【００１５】
本発明の第１の形態によれば、アンテナコイルとＩＣチップを含むインレットを内部に収納した扁平ＩＣタグにおいて、硬質素材から形成された硬質基板の上面に柔軟素材から形成された柔軟基板の下面を接合させた扁平ＩＣタグから構成され、前記硬質基板の下面を硬質面とし、前記柔軟基板の上面を柔軟面とするので、前記柔軟面を外方に向けた状態で所定の物品面に付設することができる。即ち、本形態に係るＩＣタグ封止構造は、前記硬質基板により、物品と接着等により接合する裏側接合面側を反りや剥離現象の起きない、良好な接合性を有するハードパッケージ構造とし、更に、前記柔軟基板により、表面側を外部からの衝撃を緩和し、また外部の物品を傷つけることのないソフトパッケージ構造とした多重パッケージ構造を具備するため、使用中に他の商品に当たって傷つけたりすることなく、また、例えば宅配容器に付設した場合等で配送作業中に乱雑に取り扱われても外部からの衝撃を緩和して剥がれ落ちを防止できるといった、付設耐久性に富んだ片面柔軟性扁平ＩＣタグを提供することができる。
【００１６】
本発明に係る前記硬質素材には、ＰＰ（ポリプロピレン）、ＰＥＴ、ＰＰＳ（ポリフェニルサルファイド）、ＡＢＳ（アクリロニトリルブタジエンスチレン）等の熱可塑性樹脂、あるいはエポキシ等の熱硬化性樹脂を使用することができる。特に、ＰＰＳ樹脂は耐熱性等の耐久性に優れ、屋外で使用されるＩＣタグに好適である。更に、前記硬質素材としては合成樹脂の他に、物品との接合用に限るならば、セラミックス材やアルミ板を使用してもよい。また、前記軟質素材には、ウレタン、シリコン、ＮＢＲ（ニトリルブタジエンラバー）等の柔軟性合成樹脂ないしエラストマー、又は熱硬化ゴム材を使用することができる。
【００１７】
前記インレットの封止形態としては、前記柔軟基板の中に、又は前記硬質基板の中に内包させる内包形態の他に、前記柔軟基板と前記硬質基板の境界面に介挿させる介挿形態を用いることができる。
【００１８】
本発明の第２の形態によれば、前記硬質基板の前記上面に中央に凹所を有する環状周壁部を形成し、前記凹所の底面に前記柔軟基板の前記下面を接合させ、前記柔軟基板の前記上面が前記環状周壁部の頂面と面一又は前記頂面より突出しているので、前記凹所に収設された前記柔軟基板の前記柔軟面を外部に露出させて物品面に取り付けても、外部からの衝撃等の影響を低減でき、耐久性に富んだＩＣタグを得ることができる。前記扁平ＩＣタグの前記凹所への収設は、外部からの衝撃を避けるために、前記柔軟面が前記頂面より多く突出させないのが好ましく、また、前記凹所内部に深く入り込めてしまうと塵埃の溜まりとなり、なおかつ硬質基板の露出により外部の物品を傷つけるので前記柔軟面の前記上面と前記環状周壁部の前記頂面を面一、もしくはわずかに柔軟面を突出にするのが好ましい。前記柔軟基板の固定手段としては前記凹所内で前記柔軟基板の前記下面を接着接合するのが好ましい。
【００１９】
本発明の第３の形態によれば、前記環状周壁部の外周面に前記頂面に向かって先細り状の硬質テーパ面が形成されているので、使用時に前記環状周壁部に荷物等と接触して外力が加えられたとき、単に扁平板状の角張った周壁構造と比べて、前記硬質テーパ面により外力の直撃を緩和して、被タグ付設物品とＩＣタグの接着状態における剥離防止効果を高めたＩＣタグを実現することができる。
【００２０】
本発明の第４の形態によれば、前記柔軟基板の外周面に前記柔軟面に向かって先細り状の柔軟テーパ面が形成されているので、前記柔軟面に加わる外力、例えば、他の荷物等との接触による衝撃力を緩和でき、タグ剥離防止効果の大きい片面柔軟性扁平ＩＣタグを実現することができる。
【００２１】
本発明に係るＩＣタグの多重パッケージ構造は多重モールドによっても製造することは可能であるが、本発明の第５の形態によれば、前記インレットが前記柔軟基板の内部に収納されているので、内部に前記インレットを内包させた前記柔軟基板を前記硬質基板の上面に接着等で接合させることにより、一外表面が柔軟性を帯びた多重パッケージ構造ＩＣタグを簡易且つ安価に製造することができる。
【００２２】
本発明の第６の形態によれば、前記インレットが前記硬質基板の内部に収納されているので、前記第５の形態と同様に、内部に前記インレットを内包させた前記硬質基板の上面に前記柔軟基板を貼着することにより、一外表面が柔軟性を帯びた多重パッケージ構造ＩＣタグを簡易且つ安価に製造することができる。
【００２３】
本発明の第７の形態によれば、前記インレットが前記硬質基板の上面と前記柔軟基板の下面に挟着されているので、前記インレットを前記硬質基板又は前記柔軟基板に内包させなくて済み、前記インレットを両基板間に挟着するだけで、一外表面が柔軟性を帯びた多重パッケージ構造ＩＣタグを簡易且つ安価に製造することができる。
【００２４】
本発明の第８の形態によれば、前記インレットが前記硬質基板の上面に形成された浅状凹所に収納され、前記浅状凹所を前記柔軟基板により封着したので、前記インレットを前記硬質基板又は前記柔軟基板に内包させなくて済み、前記インレットを前記硬質基板上面の前記浅状凹所に収設して前記柔軟基板により封着するだけで、一外表面が柔軟性を帯びた多重パッケージ構造ＩＣタグを簡易且つ安価に製造することができる。
【００２５】
本発明の第９の形態によれば、前記第１〜第８のいずれかの形態に係る片面柔軟性扁平ＩＣタグを用い、物品の表面に前記片面柔軟性扁平ＩＣタグの硬質面を接着させたので、前記片面柔軟性扁平ＩＣタグの反りや剥離現象の起きない、良好な接合性により脱落しにくく、配送、搬送等の物流分野に好適な、安定した商品、物流管理用タグを具備した物品を実現することができる。一般的な物品材料は例えば、梱包容器等における樹脂ケースあるいはアルミ等の金属ボックスであり、これとの接着に用いる、本形態における接着剤としては、アクリル樹脂系接着剤（アクリル樹脂及び誘導体を主成分とした接着剤）、アクリル樹脂エマルジョン接着剤（アクリル樹脂エマルジョンを主成分とした接着剤）、ウレタン樹脂系接着剤（ウレタン基（−ＮＨＣＯＯ−）を持つ接着剤）、エポキシ樹脂系接着剤（エポキシ樹脂を主成分とした接着剤）等の樹脂系接着剤や、シアノアクリレート系接着剤（２−シアノアクリル酸エステルモノマーを主成分とした接着剤）、スチレン−ブタジエンゴム溶液系接着剤（スチレンとブタジエンゴムとの共重合体を主成分とした接着剤）、変性シリコーン系接着剤（メチルジメトキシシリル基を末端に持つポリプロピレンオキシド（変性シリコーン）を主成分とした接着剤）等を使用することができる。
【発明を実施するための最良の形態】
【００２６】
以下、本発明に係る片面柔軟性扁平ＩＣタグの実施形態を図面に基づいて詳細に説明する。
図１は本発明に係る一実施形態の片面柔軟性扁平ＩＣタグ１１（以下、ＩＣタグ１１という。）を示す。図１の（１Ａ）は、同図（１Ｂ）のＩＣタグ１１の分解図である。ＩＣタグ１１は、各種商品、物流管理用の非接触式データキャリアとして使用される。ＩＣタグ１１は、ＰＥＴ等のフレキシブルフィルム（図示せず）上に形成されたアンテナコイル４と、アンテナコイル４と電気的に接続して該フィルム上に実装されたＩＣチップ３を含むインレットを内部に収納し封入した柔軟素材２からなる円板形状の柔軟基板１と、上面中央に、柔軟基板１を収容する同形の円形凹所８を有する環状周壁部９を形成した硬質基板５からなる。
【００２７】
図１の（１Ｂ）に示すように、柔軟基板１を凹所８に嵌合させて、環状周壁部９の外周頂面に対して面一に収容し、凹所８内面にて接着剤１０で貼着して接合することによりＩＣタグ１１が形成される。環状周壁部９の外周面には、底面７側から頂面に向かって先細り状の硬質テーパ面６が形成されている。
【００２８】
柔軟素材２は、エラストマー又は熱硬化ゴム材の柔軟性モールド材料からなる。上記インレットは柔軟素材２によりモールド封着されて保護収容されている。柔軟基板１は外形の直径が約２０ｍｍ、厚さ０．５ｍｍ〜１．５ｍｍの薄板状円板形態を有し、柔軟素材２により外表面が自由に撓み、タグに外力の緩衝作用を与える。
【００２９】
図２はＩＣタグ１１をレンタル用マットにマット管理用データキャリアとして貼着した一使用例を示す。このマットはマット基材のゴムラバー１２と、ゴムラバー１２の表面に接合された基布１３と、基布１３に植設された多数のパイル１４からなる。基布１３及び多数のパイル１４はマット原反と呼ばれ、これには芝状シート、スポンジシート、不織布シート、布状シート等が使用される。ゴムラバー１２は、ＮＢＲ、ＮＢＲ発泡材、ＥＰＤＭ等の合成ゴムあるいは合成樹脂である。
【００３０】
ゴムラバー１２の裏面１７には、柔軟基板１を外面にしてＩＣタグ１１の底面７が接着剤層１６により貼着されている。ＩＣタグ１１の貼着箇所１５には、接着前処理が施されている。接着前処理には、サンダーによる表面研磨、プライマー処理等が行われる。プライマー処理の場合には、ゴム可溶性の下塗り剤をタグ取り付け箇所に塗布して接着剤と融合しやすくさせる。接着剤層１６や接着剤１０の接着剤には、アクリル樹脂系接着剤、アクリル樹脂エマルジョン接着剤、ウレタン樹脂系接着剤、エポキシ樹脂系接着剤等の樹脂系接着剤や、シアノアクリレート系接着剤、スチレン−ブタジエンゴム溶液系接着剤、変性シリコーン系接着剤等を使用することができる。
【００３１】
本実施形態に係るＩＣタグ１１は、硬質基板５により、マット物品と接着により接合する裏側接合面側を良好な接合性を有するハードパッケージ構造とし、更に、柔軟基板１により、表面側を外部からの衝撃を緩和し、また外部の物品を傷つけることのないソフトパッケージ構造とした多重パッケージのタグ封止構造を具備するため、外部には柔軟基板１の柔軟面が露出し、且つ硬質テーパ面６を硬質基板５に形成しており、マット使用中に床面に擦り傷をつけず、また歩行者の荷重や荷物の通過または衝撃により損傷することもなく、また、例えば、マット洗浄中やマット配送作業中に乱雑に取り扱われても外部からの衝撃を緩和して剥がれ落ちを防止できるといった、付設耐久性に富む。なお、ＩＣタグ１１の貼着形態としては、本実施形態の露出形態の他に、マット裏面に凹所を穿設し、その凹所に柔軟基板１を外側にして、面一状にＩＣタグ１１を沈めて貼着する埋設形態を使用することができる。
【００３２】
特に、硬質テーパ面６を硬質基板５に形成することにより、使用時に環状周壁部９に外力が加えられたとき、単に扁平板状の角張った周壁構造と比べて、硬質テーパ面６により外力の直撃を緩和して、マットとＩＣタグ１１の接着状態におけるタグ剥離防止効果を高めている。
【００３３】
硬質基板５の硬質素材には、耐熱性等に優れたＰＰＳ樹脂を使用している。硬質素材としては、ＰＰ、ＰＥＴ、ＡＢＳ等の熱可塑性樹脂、あるいはエポキシ等の熱硬化性樹脂、更に、物品との接合面形成用に限るならば、セラミックス材やアルミ板を使用することができる。軟質素材２には、エラストマーや熱硬化ゴム材ウレタン以外に、シリコン、ＮＢＲ等の柔軟性合成樹脂を使用することができる。
【００３４】
図３は本発明のＩＣタグの変形例を示す。図３において図１と同一部材について同じ符号を付している。図３の（３Ａ）は環状周壁部９の外周頂面に対して面一より少し外側に突出させた柔軟基板１Ａを凹所８に収設したＩＣタグ２０を示す。凹所８への収設は、柔軟面が環状周壁部９より多く突出させずに、厚さの１／２以下程度突出させることにより、タグ本体に加わる外力の緩衝作用を高めることができる。
【００３５】
本発明においては、硬質基板に柔軟基板を収設しなくてもよい。図３の（３Ｂ）は軟質テーパ面２１Ａを備えた円錐台形状の扁平型軟質基板１Ｂを同径の円板状硬質基板５Ａに貼着したＩＣタグ２１を示す。
また、本発明においては、硬質基板又は柔軟基板にテーパ面を設けなくてもよい。図５は円形柔軟基板を円形硬質基板に収設し、テーパ面を設けないＩＣタグ構造を示す。図５の（５Ａ）は、ＰＥＴ等のフレキシブルフィルム２３上に形成されたアンテナコイル４と、フィルム２３上に実装されたＩＣチップ３を含むインレットを封入した柔軟基板１を、硬質基板３１の中央の円形凹所３２に突出した状態で収設したＩＣタグ３０を示す。図５の（５Ｂ）は、該インレットを封入した柔軟基板１を、硬質基板３４の中央の円形凹所３５に面一に収設したＩＣタグ３３を示す。柔軟基板１を凹所３５内部に深く入り込めてしまうと塵埃が溜まるので、（５Ｂ）に示すように、面一にするのが好ましい。
以上の図１、図３及び図５に示したＩＣタグは、タグを取り付ける物品の種別、用途、搬送・運搬形態等の使用環境に応じて種々選択することができる。
【００３６】
図４は本発明におけるインレットの各種内包態様を示す。図４の（４Ａ）は、フレキシブルフィルム２３上にアンテナコイル４とＩＣチップ３を設けたインレットを柔軟基板１内に封入したＩＣタグ２２を示す。内部に該インレットを内包させた柔軟基板１を予めモールドないし挟着して封着して製造し、硬質基板２４の上面に接着、接合させることにより、一外表面が柔軟性を帯びた多重パッケージ構造ＩＣタグ２２を簡易且つ安価に製造することができる。
【００３７】
図４の（４Ｂ）は、該インレットを硬質基板２４の上面と柔軟基板２の下面に挟着されているので、該インレットを硬質基板２４又は柔軟基板２に内包させなくて済み、インレットを両基板間に挟着するだけで、一外表面が柔軟性を帯びた多重パッケージ構造ＩＣタグを簡易且つ安価に製造することができる。
【００３８】
図４の（４Ｃ）は、該インレットが硬質基板２８の上面に形成された浅状凹所２９に収納され、浅状凹所２９を柔軟基板２７により封着したＩＣタグ２６を示す。該インレットを硬質基板又は柔軟基板に内包させなくて済むので、インレットを硬質基板２８上面の浅状凹所２９に収設して柔軟基板２７により封着する組み立て作業だけで、一外表面が柔軟性を帯びた多重パッケージ構造ＩＣタグ２６を簡易且つ安価に製造することができる。
【００３９】
図４の（４Ｄ）は、該インレットを硬質基板４１内に封入したＩＣタグ４０を示す。内部に該インレットを内包させた硬質基板４１を予め硬質素材４２によりモールド封着して製造し、硬質基板４１の上面に柔軟素材片４３を接着、接合させることにより、一外表面が柔軟性を帯びた多重パッケージ構造ＩＣタグ４１を簡易且つ安価に製造することができる。
【００４０】
図６は図１のＩＣタグ１１の別の使用例を示す。この使用例はＩＣタグ１１を配送用パレット５０の側面に貼着した場合である。パレット５０は商品（ないし貨物）５２、５３を受け入れる集配用容器である。集配作業の過程で外部から衝撃を受けやすいパレット５０にＩＣタグ１１を貼着しても、外部に向いたタグ面が柔軟性を有するため、使用中に他の商品に当たって傷つけたりすることがなく、また、乱雑に取り扱われても外部からの衝撃を緩和して剥がれ落ちず、付設耐久性に富むので、パレット５０による安定した物流管理を実施することができる。
【００４１】
本発明は、上記実施形態や変形例に限定されるものではなく、本発明の技術的思想を逸脱しない範囲における種々変形例、設計変更などをその技術的範囲内に包含するものであることは云うまでもない。
【産業上の利用可能性】
【００４２】
本発明は、外力等の影響を受けても脱落しにくく、付設耐久性に富んだ柔軟性を具備した片面柔軟性扁平ＩＣタグを実現することができ、これを物品、例えば、家庭用マット、業務用マット、自動車用マット、各種カーペット、搬送用容器、搬送パレット、梱包容器等に貼着して適用することにより、商品、物流のタグ管理における安定化に寄与することができる。
【図面の簡単な説明】
【００４３】
【図１】本発明に係る一実施形態の片面柔軟性扁平ＩＣタグ１１を示す図である。
【図２】ＩＣタグ１１を貼着したマットの縦断面部分図である。
【図３】本発明のＩＣタグの変形例を示す外観図である。
【図４】本発明におけるインレットの各種内包態様を示す概略断面図である。
【図５】図４の実施形態を説明するための図である。
【図６】ＩＣタグ１１の別の使用例を示す図である。
【符号の説明】
【００４４】
１        柔軟基板
２        柔軟素材
３        ＩＣチップ
４        アンテナコイル
５        硬質基板
６        硬質テーパ面
７        底面
８        凹所
９        環状周壁部
１０      接着剤
１１      ＩＣタグ
１２      ゴムラバー
１３      基布
１４      パイル
１５      貼着箇所
１６      接着剤層
１７      裏面
２０      ＩＣタグ
２１      ＩＣタグ
２２      ＩＣタグ
２３      フレキシブルフィルム
２４      硬質基板
２５      ＩＣタグ
２６      ＩＣタグ
２７      柔軟基板
２８      硬質基板
２９      浅状凹所
３０      ＩＣタグ
３１      硬質基板
３２      凹所
３３      ＩＣタグ
３４      硬質基板
３５      凹所
４０      ＩＣタグ
４１      硬質基板
４２      硬質素材
４３      柔軟素材片
５０      パレット
５１      側面
５２      商品
５３      商品
【図１】
0005149595.tif 000002
【図２】
0005149595.tif 000003
【図３】
0005149595.tif 000004
【図４】
0005149595.tif 000005
【図５】
0005149595.tif 000006
【図６】
0005149595.tif 000007